【手続補正書】
【提出日】令和1年8月19日(2019.8.19)
【手続補正１】
【補正対象書類名】特許請求の範囲
【補正対象項目名】全文
【補正方法】変更
【補正の内容】
【特許請求の範囲】
【請求項１】
量子鍵を配布するための方法であって、前記方法は、
送信機によって、送信機認証ビットストリングおよび鍵ビットストリングを生成するステップと、
前記送信機によって、前記送信機認証ビットストリングおよび前記鍵ビットストリングを量子状態として順次に送信するステップであって、前記送信機認証ビットストリングは事前決定された基準を用いて量子状態として送信される、ステップと、
受信機によって、前記量子状態を受信するステップと、
前記受信機によって、前記事前決定された基準を用いて前記送信機認証ビットストリングの前記量子状態を測定して受信機が測定した送信機認証ビットストリングを生成するステップと、
前記受信機によって、受信機が決定した送信機認証ビットストリングを生成するステップと、
前記受信機が測定した送信機認証ビットストリングが、前記受信機が決定した送信機認証ビットストリングとほぼ一致する場合、ランダムな基準を用いて前記鍵ビットストリングの前記量子状態を測定して受信機が測定した鍵ビットストリングを生成するステップと
を含む、方法。
【請求項２】
前記受信機によって、受信機認証ビットストリングを生成するステップと、
前記受信機によって、前記受信機認証ビットストリングおよび前記ランダムな基準の識別を送信するステップと、
前記送信機によって、前記受信機認証ビットストリングを送信機が受信した受信機認証ビットストリングとして、および前記ランダムな基準の前記識別を送信機が受信したランダムな基準として受信するステップと、
前記送信機によって、送信機が決定した受信機認証ビットストリングを生成するステップと、
前記送信機が受信した受信機認証ビットストリングが、前記送信機が決定した受信機認証ビットストリングと一致する場合、正しい測定基準を前記送信機が受信したランダムな基準に基づいて決定するステップと、
前記送信機によって、前記正しい測定基準を用いて前記鍵ビットストリングから秘密鍵を抽出するステップと
をさらに含む、請求項１に記載の方法。
【請求項３】
前記送信機によって、前記正しい測定基準を送信するステップと、
前記受信機によって、前記正しい測定基準を、受信された訂正済みの基準として受信するステップと、
前記受信された訂正済みの基準を用いて前記受信機が測定した鍵ビットストリングから前記秘密鍵を抽出するステップと
をさらに含む、請求項２に記載の方法。
【請求項４】
前記送信機認証ビットストリングを生成するステップは、
前記送信機によって、送信機識別を決定するステップと、
前記送信機によって、前記送信機と前記受信機の両方によって、事前設定されたポリシーに従って同期して変化するパラメータを決定するステップと、
前記送信機識別および前記同期して変化するパラメータを第１の事前提供されたアルゴリズムに入力して前記送信機認証ビットストリングを生成するステップと
を含む、請求項２に記載の方法。
【請求項５】
前記受信機が決定した送信機認証ビットストリングを生成するステップは、
前記受信機によって、前記送信機識別を決定するステップと、
前記受信機によって、前記事前設定されたポリシーに従って前記同期して変化するパラメータを決定するステップと、
前記送信機識別および前記同期して変化するパラメータを前記第１の事前提供されたアルゴリズムに入力して前記受信機が決定した送信機認証ビットストリングを生成するステップと
を含む、請求項４に記載の方法。
【請求項６】
前記受信機認証ビットストリングを生成するステップは、
前記受信機によって、受信機識別を決定するステップと、
前記受信機によって、前記事前設定されたポリシーに従って前記同期して変化するパラメータの変形を決定するステップと、
前記受信機識別および前記同期して変化するパラメータの前記変形を第２の事前提供されたアルゴリズムに入力して前記受信機認証ビットストリングを生成するステップと
を含む、請求項５に記載の方法。
【請求項７】
前記送信機が決定した受信機認証ビットストリングを生成するステップは、
前記送信機によって、前記受信機識別を決定するステップと、
前記送信機によって、前記事前設定されたポリシーに従って前記同期して変化するパラメータの前記変形を決定するステップと、
前記受信機識別および前記同期して変化するパラメータの前記変形を前記第２の事前提供されたアルゴリズムに入力して前記送信機が決定した受信機認証ビットストリングを生成するステップと
を含む、請求項６に記載の方法。
【請求項８】
前記事前設定されたポリシーに従う前記同期して変化するパラメータは、前記送信機および前記受信機がＱＫＤプロセスを実行する回数を含む、請求項４に記載の方法。
【請求項９】
前記第１および第２の事前提供されたアルゴリズムはハッシュ関数を含む、請求項６に記載の方法。
【請求項１０】
前記送信機認証ビットストリングは非ランダムであり、前記鍵ビットストリングはランダムである、請求項１に記載の方法。
【請求項１１】
前記送信機認証ビットストリングは制御ビットおよび認証ビットを含み、前記鍵ビットストリングは制御ビットおよび鍵ビットを含む、請求項１０に記載の方法。
【請求項１２】
前記送信機認証ビットストリングの前記制御ビットおよび前記認証ビットは異なる波長で送信され、前記鍵ビットストリングの前記制御ビットおよび前記鍵ビットは異なる波長で送信される、請求項１１に記載の方法。
【請求項１３】
前記認証ビットおよび前記鍵ビットは同じ波長で送信される、請求項１２に記載の方法。
【請求項１４】
前記送信機認証ビットストリングおよび前記鍵ビットストリングは同じ波長で順次に送信され、前記送信機認証ビットストリングは合意された長さを有する、請求項１０に記載の方法。
【請求項１５】
量子鍵を配布するための装置であって、前記装置は、
メモリと、
前記メモリに結合されたプロセッサと
を備え、前記プロセッサは、
送信機認証ビットストリングおよび鍵ビットストリングを生成し、
前記送信機認証ビットストリングおよび前記鍵ビットストリングを量子状態として順次に送信し、前記送信機認証ビットストリングは事前決定された基準を用いて量子状態として送信され、
受信機認証ビットストリングを送信機が受信した受信機認証ビットストリングとして、およびランダムな基準の識別を送信機が受信したランダムな基準として受信し、
送信機が決定した受信機認証ビットストリングを生成し、
前記送信機が受信した受信機認証ビットストリングが、前記送信機が決定した受信機認証ビットストリングと一致する場合、正しい測定基準を前記送信機が受信したランダムな基準に基づいて決定し、
前記正しい測定基準を用いて前記鍵ビットストリングから秘密鍵を抽出する、装置。
【請求項１６】
前記送信機認証ビットストリングを生成するために、前記プロセッサは、さらに
送信機識別を決定し、
事前設定されたポリシーに従って同期して変化するパラメータを決定し、
前記送信機識別および前記同期して変化するパラメータを第１の事前提供されたアルゴリズムに入力して前記送信機認証ビットストリングを生成する、請求項１５に記載の装置。
【請求項１７】
前記送信機が決定した受信機認証ビットストリングを生成するために、前記プロセッサは、さらに
受信機識別を決定し、
前記事前設定されたポリシーに従って前記同期して変化するパラメータの変形を決定し、
前記受信機識別および前記同期して変化するパラメータを第２の事前提供されたアルゴリズムに入力して前記送信機が決定した受信機認証ビットストリングを生成する、請求項１６に記載の装置。
【請求項１８】
量子鍵を配布するための装置であって、前記装置は、
メモリと、
前記メモリに結合されたプロセッサと
を備え、前記プロセッサは、
複数の量子状態を受信し、前記複数の量子状態は送信機認証ビットストリングおよび鍵ビットストリングを表現し、
事前決定された基準を用いて前記送信機認証ビットストリングの前記量子状態を測定して受信機が測定した送信機認証ビットストリングを生成し、
受信機が決定した送信機認証ビットストリングを生成し、
前記受信機が測定した送信機認証ビットストリングが、前記受信機が決定した送信機認証ビットストリングとほぼ一致する場合、ランダムな基準を用いて前記鍵ビットストリングの前記量子状態を測定する、装置。
【請求項１９】
受信機が決定した送信機認証ビットストリングを生成するために、前記プロセッサは、さらに、
送信機識別を決定し、
事前設定されたポリシーに従って同期して変化するパラメータを決定し、
前記送信機識別および前記同期して変化するパラメータを事前提供されたアルゴリズムに入力して前記受信機が決定した送信機認証ビットストリングを生成する、請求項１８に記載の装置。
【請求項２０】
前記プロセッサは、さらに
受信機認証ビットストリングを生成し、
前記受信機認証ビットストリングおよび前記ランダムな基準の識別を送信する、請求項１９に記載の装置。